(57)【要約】【課題】記録トラックのトラック幅を狭くした場合でも、隣接する記録トラックからのクロストークを抑制する。【解決手段】回転ドラム１４に搭載された一対の記録ヘッド１１ａ，１１ｂのうち、一方の記録ヘッド１１ａが磁気テープ３にアジマス記録により一方の記録トラックＡを形成し、この一方の記録トラックＡに隣接して、他方の記録ヘッド１１ｂが磁気テープ３にノンアジマス記録により他方の記録トラックＢを形成する。このとき、一方の記録ヘッド１１ａは、リーディング側に位置する磁気コア２５が記録トラックのトラック中心からずれる側に、次の記録トラックが形成されるように、アジマス角θの傾ける向きが設定されている。これにより、一方の記録トラックＡに記録された記録ビット３０の裾引き部分３０ａが、次に書き込まれる他方の記録トラックＢにより重ね書きされて消去される。【選択図】  図１６
2004164756.tif 000002
【特許請求の範囲】
【請求項１】
回転ドラムに搭載されてヘリカルスキャン方式により磁気テープの走行方向に対して斜めに走査される一対の記録ヘッドを備え、このうち、一方の記録ヘッドが上記磁気テープに対して記録信号に応じた磁界を印加しながら一方の記録トラックを形成し、この一方の記録トラックに隣接して、他方の記録ヘッドが上記磁気テープに対して記録信号に応じた磁界を印加しながら他方の記録トラックを形成することによって、上記磁気テープに対して連続的に信号を記録する磁気ヘッド装置において、
上記一方の記録ヘッドは、その磁気ギャップが当該ヘッドの走査方向と直交する方向に対してアジマス角に応じて斜めとなるように配置され、且つ、その磁気ギャップを介して突き合わされる一対の磁気コアのうち、当該ヘッドの走査方向において先行する側に位置する磁気コアが記録トラックのトラック中心からずれる側に、次の記録トラックが形成されるように、上記アジマス角の傾ける向きが設定されることによって、上記一方の記録トラックにアジマス記録を行い、
上記他方の記録ヘッドは、その磁気ギャップが当該ヘッドの走査方向と直交する方向に対して平行となるように配置されることによって、上記他方の記録トラックにノンアジマス記録を行い、
先に書き込まれる記録トラックに、次に書き込まれる記録トラックが所定の幅だけ重ね書きされるように、上記一方の記録トラックと上記他方の記録トラックとを交互に並んで形成することを特徴とする磁気ヘッド装置。
【請求項２】
更に、上記回転ドラムに搭載されてヘリカルスキャン方式により上記磁気テープの走行方向に対して斜めに走査される一対の再生ヘッドを備え、このうち、上記一方の記録ヘッドに対応して、当該ヘッドの走査方向と直交する方向に対して上記アジマス角に応じて斜めに配置された一方の再生ヘッドが、上記一方の記録トラックから信号磁界を検出し、上記他方の記録ヘッドに対応して、当該ヘッドの走査方向と直交する方向に対して平行に配置された他方の再生ヘッドが、上記他方の記録トラックから信号磁界を検出することによって、上記磁気テープに記録された信号を連続的に再生することを特徴とする請求項１記載の磁気ヘッド装置。
【請求項３】
更に、上記回転ドラムに搭載されてヘリカルスキャン方式により上記磁気テープの走行方向に対して斜めに走査されると共に、当該ヘッドの走査方向と直交する方向に対して上記一方の記録ヘッドのアジマス角とは逆向きのアジマス角に応じて斜めに配置された互換再生ヘッドを備えることを特徴とする請求項２記載の磁気ヘッド装置。
【請求項４】
上記一対の記録ヘッドは、少なくとも基板上に、下部磁気コア層と非磁性層と上部磁気コア層とが積層され、上記下部磁気コア層と上記上部磁気コア層とは、それぞれ上記磁気テープと対向する媒体対向面側の端部に、上記磁気テープに形成される記録トラックに対応して所定のトラック幅で突出された突部を有し、これら突部が上記非磁性層を介して互いに突き合わされることで上記磁気ギャップが形成されると共に、上記下部磁気コア層と上記上部磁気コア層とが上記媒体対向面からデプス方向に離間した他端側で接合され、この接合部分を中心に薄膜コイルが巻回されてなるインダクティブ型の薄膜磁気ヘッドであり、当該ヘッドの走査方向において、上記上部磁気コア層が上記下部磁気コア層よりも先行する側に位置していることを特徴とする請求項１記載の磁気ヘッド装置。
【請求項５】
上記一方の記録ヘッドにおいて、上記下部磁気コア層側の突部は、そのトラック幅方向の少なくとも一側面が上記アジマス角以上となる角度で傾けられた傾斜面とされ、この傾斜面の延長線上に上記上部磁気コア層側の突部の上記磁気ギャップと隣接する側の一端が位置していることを特徴とする請求項４記載の磁気ヘッド装置。
【請求項６】
上記一方の記録ヘッドにおいて、上記上部磁気コア層側の突部は、上記下部磁気コア層側の突部の傾斜面の延長線上に位置する側面が、上記アジマス角以上となる角度で傾けられた傾斜面とされていることを特徴とする請求項５記載の磁気ヘッド装置。
【請求項７】
上記一対の記録ヘッドにおいて、上記上部磁気コア層側の突部の上記磁気ギャップと隣接する側のトラック幅が、上記下部磁気コア層側の突部の上記磁気ギャップと隣接する側のトラック幅に対して同等又は小さくなることを特徴とする請求項４記載の磁気ヘッド装置。
【請求項８】
磁気テープを走行させるテープ走行手段と、
上記テープ走行手段により走行される磁気テープが外周面に巻き付けられた状態で回転駆動される回転ドラムと、
上記回転ドラムに搭載されてヘリカルスキャン方式により上記磁気テープの走行方向に対して斜めに走査される一対の記録ヘッドを備え、
上記一対の記録ヘッドは、一方の記録ヘッドが上記磁気テープに対して記録信号に応じた磁界を印加しながら一方の記録トラックを形成し、この一方の記録トラックに隣接して、他方の記録ヘッドが上記磁気テープに対して記録信号に応じた磁界を印加しながら他方の記録トラックを形成することによって、上記磁気テープに対して連続的に信号を記録すると共に、
上記一方の記録ヘッドは、その磁気ギャップが当該ヘッドの走査方向と直交する方向に対してアジマス角に応じて斜めとなるように配置され、且つ、その磁気ギャップを介して突き合わされる一対の磁気コアのうち、当該ヘッドの走査方向において先行する側に位置する磁気コアが記録トラックのトラック中心からずれる側に、次の記録トラックが形成されるように、上記アジマス角の傾ける向きが設定されることによって、上記一方の記録トラックにアジマス記録を行い、
上記他方の記録ヘッドは、その磁気ギャップが当該ヘッドの走査方向と直交する方向に対して平行となるように配置されることによって、上記他方の記録トラックにノンアジマス記録を行い、
先に書き込まれる記録トラックに、次に書き込まれる記録トラックが所定の幅だけ重ね書きされるように、上記一方の記録トラックと上記他方の記録トラックとを交互に並んで形成することを特徴とする磁気テープ装置。
【請求項９】
上記回転ドラムに搭載されてヘリカルスキャン方式により上記磁気テープの走行方向に対して斜めに走査される一対の再生ヘッドを備え、
上記一対の再生ヘッドは、上記一方の記録ヘッドに対応して、当該ヘッドの走査方向と直交する方向に対して上記アジマス角に応じて斜めに配置された一方の再生ヘッドが、上記一方の記録トラックから信号磁界を検出し、上記他方の記録ヘッドに対応して、当該ヘッドの走査方向と直交する方向に対して平行に配置された他方の再生ヘッドが、上記他方の記録トラックから信号磁界を検出することによって、上記磁気テープに記録された信号を連続的に再生することを特徴とする請求項８記載の磁気テープ装置。
【請求項１０】
上記回転ドラムに搭載されてヘリカルスキャン方式により上記磁気テープの走行方向に対して斜めに走査されると共に、当該ヘッドの走査方向と直交する方向に対して上記一方の記録ヘッドのアジマス角とは逆向きのアジマス角に応じて斜めに配置された互換再生ヘッドを備えることを特徴とする請求項９記載の磁気テープ装置。
【請求項１１】
上記一対の記録ヘッドは、少なくとも基板上に、下部磁気コア層と非磁性層と上部磁気コア層とが積層され、上記下部磁気コア層と上記上部磁気コア層とは、それぞれ上記磁気テープと対向する媒体対向面側の端部に、上記磁気テープに形成される記録トラックに対応して所定のトラック幅で突出された突部を有し、これら突部が上記非磁性層を介して互いに突き合わされることで上記磁気ギャップが形成されると共に、上記下部磁気コア層と上記上部磁気コア層とが上記媒体対向面からデプス方向に離間した他端側で接合され、この接合部分を中心に薄膜コイルが巻回されてなるインダクティブ型の薄膜磁気ヘッドであり、当該ヘッドの走査方向において、上記上部磁気コア層が上記下部磁気コア層よりも先行する側に位置していることを特徴とする請求項８記載の磁気テープ装置。
【請求項１２】
上記一方の記録ヘッドにおいて、上記下部磁気コア層側の突部は、そのトラック幅方向の少なくとも一側面が上記アジマス角以上となる角度で傾けられた傾斜面とされ、この傾斜面の延長線上に上記上部磁気コア層側の突部の上記磁気ギャップと隣接する側の一端が位置していることを特徴とする請求項１１記載の磁気テープ装置。
【請求項１３】
上記一方の記録ヘッドにおいて、上記上部磁気コア層側の突部は、上記下部磁気コア層側の突部の傾斜面の延長線上に位置する側面が、上記アジマス角以上となる角度で傾けられた傾斜面とされていることを特徴とする請求項１２記載の磁気テープ装置。
【請求項１４】
上記一対の記録ヘッドにおいて、上記上部磁気コア層側の突部の上記磁気ギャップと隣接する側のトラック幅が、上記下部磁気コア層側の突部の上記磁気ギャップと隣接する側のトラック幅に対して同等又は小さくなることを特徴とする請求項１１記載の磁気テープ装置。
【請求項１５】
磁気記録媒体に対して走査される一対の記録ヘッドのうち、一方の記録ヘッドが上記磁気記録媒体に対して記録信号に応じた磁界を印加しながら一方の記録トラックを形成し、この一方の記録トラックに隣接して、他方の記録ヘッドが上記磁気記録媒体に対して記録信号に応じた磁界を印加しながら他方の記録トラックを形成することによって、上記磁気記録媒体に対して連続的に信号を記録する信号記録方法において、
上記一方の記録ヘッドは、その磁気ギャップが当該ヘッドの走査方向と直交する方向に対してアジマス角に応じて斜めとなるように配置され、且つ、その磁気ギャップを介して突き合わされる一対の磁気コアのうち、当該ヘッドの走査方向において先行する側に位置する磁気コアが記録トラックのトラック中心からずれる側に、次の記録トラックが形成されるように、上記アジマス角の傾ける向きが設定されることによって、上記一方の記録トラックにアジマス記録を行い、
上記他方の記録ヘッドは、その磁気ギャップが当該ヘッドの走査方向と直交する方向に対して平行となるように配置されることによって、上記他方の記録トラックにノンアジマス記録を行い、
先に書き込まれる記録トラックに、次に書き込まれる記録トラックが所定の幅だけ重ね書きされるように、上記一方の記録トラックと上記他方の記録トラックとを交互に並んで形成することを特徴とする信号記録方法。
【発明の詳細な説明】
【０００１】
【発明の属する技術分野】
本発明は、ヘリカルスキャン方式により磁気テープに対して信号を記録する磁気ヘッド装置、並びにそのような磁気ヘッド装置を磁気テープに対して信号を記録する信号記録手段として用いた磁気テープ装置に関する。また、本発明は、そのような磁気テープ等の磁気記録媒体に対して信号を記録するための信号記録方法に関する。
【０００２】
【従来の技術】
従来より、磁気記録媒体に対して信号の記録を行う記録ヘッドとしては、磁性材料からなる一対の磁気コアを突き合わすことで磁路が形成されると共に、一対の磁気コアの突合せ面に微小隙間である磁気ギャップが形成され、この磁気コアに磁界発生のためのコイルが巻線されてなる、いわゆるバルク型磁気ヘッドが用いられている。
【０００３】
また、近年の記録密度の高密度化に伴って、フェライト等からなる一対の磁気コアの突合せ面に高飽和磁束密度を有する金属磁性薄膜を成膜し、これら金属磁性薄膜を磁気ギャップとなる非磁性膜を介して突き合わせてなる、いわゆるメタル・イン・ギャップ（ＭＩＧ：Ｍｅｔａｌ  Ｉｎ  Ｇａｐ）型磁気ヘッドが実用化されている。
【０００４】
一般に、記録ヘッドは、コイルに対して記録信号に応じた電流を供給し、このコイルから発生する磁界によって、一対の磁気コアに磁束が流れると共に、磁気ギャップに記録磁界が発生し、この記録磁界を磁気記録媒体に対して印加することで信号の記録を行う。
【０００５】
ところで、このような記録ヘッドでは、高記録密度化の要求に応えるために、トラック幅を狭くすると共に、このトラック幅精度の向上が益々重要となってきている。しかしながら、上述した磁気ヘッドでは、微細な加工を施して作製することに限界があり、高記録密度化に対応してトラック幅を狭くすることが非常に困難となってきている。
【０００６】
そこで、高記録密度化に対応した記録ヘッドとして、薄膜形成技術によって基板上に各構成要素が積層されてなる、いわゆる薄膜磁気ヘッドが提案されている（例えば、特許文献１，２参照。）。この薄膜磁気ヘッドは、磁気コアやコイル等の各構成要素がメッキ法やスパッタ法、イオンミリング法等の薄膜形成技術により形成されるために、狭トラック化や狭ギャップ化等の微細寸法化が容易であり、小型化して磁気記録媒体に対する記録密度を高めること可能である等の利点を有している。
【０００７】
ここで、薄膜磁気ヘッドの一構成例を図３３，図３４及び図３５に示す。
【０００８】
この薄膜磁気ヘッド１００は、基板１０１上に、磁路を形成する下部磁気コア層１０２と上部磁気コア層１０３とが積層されてなる。そして、下部磁気コア層１０２と上部磁気コア層１０３とは、それぞれ磁気記録媒体と対向する媒体対向面１００ａ側の端部に、所定のトラック幅Ｔｗ１’，Ｔｗ２’で突出された突部１０２ａ，１０３ａを有し、これら突部１０２ａ，１０３ａが非磁性層１０４を介して互いに突き合わされることで磁気ギャップＧ’が形成されている。また、媒体対向面１００ａからデプス方向に離間した他端部において、下部磁気コア層１０２と上部磁気コア層１０３とが接合されることでバックギャップが形成されている。そして、下部磁気コア層１０２と上部磁気コア層１０３との間には、このバックギャップを中心に巻回された薄膜コイル１０５が非磁性層１０４に埋め込まれた状態で設けられている。そして、この薄膜コイル１０５の内周側の端部及び外周側の端部は、それぞれ媒体対向面１００ａとは反対側に向かって引き延ばされており、ここに、外部回路と接続される外部接続用端子１０５ａ，１０５ｂが設けられている。また、この基板１０１の最上層には、薄膜コイル１０５の外部接続用端子１０５ａ，１０５ｂが外部に臨む部分を除いて全面を被覆するように保護層１０６が設けられている。
【０００９】
また、薄膜磁気ヘッド１００の中には、図３６に示すように、更なる高記録密度化に対応するために、トラック幅を狭くすると共に、下部磁気コア層１０２上に、上部磁気コア層１０３側の突部１０３ａと対向する突部１０２ｂを突出させたものがある。この薄膜磁気ヘッド１００では、下部磁気コア層１０２側の突部１０２ｂと上部磁気コア層１０３側の突部１０３ａとが非磁性層１０４を介して互いに突き合わされることで磁気ギャップＧ’が形成されると共に、これらの幅がトラック幅Ｔｗ１’，Ｔｗ２’となっている。このように、図３６に示す薄膜磁気ヘッド１００では、下部磁気コア層１０２側に上部磁気コア層１０３側の突部１０３ａに対応した幅で突出された突部１０２ｂを設けることで、トラック幅方向の側面からの漏洩磁界、すなわちサイドフリンジング磁界を少なくすることができ、このサイドフリンジング磁界による影響を低減することによって、実効トラック幅の安定化が図られている。
【００１０】
以上のような薄膜磁気ヘッド１００では、薄膜形成技術によって基板上に各構成要素が形成されるため、狭トラック化が可能であり、更なる磁気記録媒体の高記録密度化に対応することが可能となっている。このため、薄膜磁気ヘッド１００は、高密度磁気記録再生装置の記録ヘッドとして、当初はハードディスクドライブ（ＨＤＤ：Ｈａｒｄ  Ｄｉｓｋ  Ｄｒｉｖｅ）等の磁気ディスク装置に利用され、近年はビデオテープレコーダ（ＶＴＲ：Ｖｉｄｅｏ  Ｔａｐｅ  Ｒｅｃｏｒｄｅｒ）等の磁気テープ装置でも利用されつつある。
【００１１】
ところで、上述したＶＴＲ等に代表される磁気テープ装置では、ヘリカルスキャン方式を採用するものが一般的となっている（例えば、特許文献３参照。）。このヘリカルスキャン方式を採用する磁気テープ装置では、磁気テープが回転ドラムの外周面に所定の角度範囲でヘリカル状に巻き付けられた状態で走行される。また、この回転ドラムには、外周面から磁気ギャップが臨むように一対の記録ヘッドが取り付けられている。したがって、このヘリカルスキャン方式では、磁気テープが回転ドラムに対して斜めに走行しながら、回転ドラムが回転駆動することによって、この回転ドラムに搭載された一対の記録ヘッドが磁気テープに対して斜めに走査されることになる。
【００１２】
また、この磁気テープ装置では、図３７に示すように、回転ドラムに搭載された一対の記録ヘッドのうち、一方の記録ヘッドが磁気テープ４００に対して記録信号に応じた磁界を印加しながら所定のトラック幅で一方の記録トラックＡ’を形成し、この一方の記録トラックＡ’に隣接して、他方の記録ヘッドが磁気テープ４００に対して記録信号に応じた磁界を印加しながら所定のトラック幅で他方の記録トラックＢ’を形成する。そして、これら一対の記録ヘッドが磁気テープ４００に対して繰り返し記録トラックＡ’，Ｂ’を形成することによって、この磁気テープ４００には、一方の記録トラックＡ’と他方の記録トラックＢ’とが所定のトラック幅ＷＡ’，ＷＢ’で当該磁気テープ４００の長手方向に交互に並んで形成されることになる。
【００１３】
また、この磁気テープ装置では、先に書き込まれる記録トラックに、次に書き込まれる記録トラックが一部重なるように重ね書き、いわゆるオーバーライトすることによって、隣接する記録トラックＡ’，Ｂ’間の未記録領域、いわゆるガードバンドを無くし、磁気テープ４００に対する記録密度を高めることが行われている。以上のような記録方法は、一般にガードバンドレス記録と呼ばれている。
【００１４】
さらに、一対の記録ヘッドは、互いの磁気ギャップが当該ヘッドの走査方向と直交する方向に対してアジマス角に応じて斜めとなるように配置されており、互いにアジマス角の傾ける向きを逆向き（±）とすることによって、隣接する記録トラックＡ’，Ｂ’間の干渉、いわゆるクロストークを極力抑えるようにしている。以上のような記録方法は、一般にアジマス記録と呼ばれている。
【００１５】
したがって、このようなアジマス記録を用いることで、上述したガードバンドレス記録のように隣接する記録トラックＡ’，Ｂ’間のガードバンドを無くした場合でも、再生時に読み出される記録トラックに対して、隣接する記録トラックからの（クロストーク）ノイズの影響をアジマス角の違いによるアジマスロスによって低減することができる。
【００１６】
なお、このようなアジマス記録に対して、アジマス角のない、すなわち磁気ギャップが当該ヘッドの走査方向と直交する方向に対して平行となるように記録ヘッドを配置した場合の記録方法は、一般にノンアジマス記録と呼ばれている。
【００１７】
【特許文献１】
特開２００２−２１６３１６号公報（第２図）
【特許文献２】
特開２０００−２７６７０８号公報（第７図）
【特許文献３】
特開平１１−３２８６１４号公報（第２−３頁、第１図）
【特許文献１】
特開２００１−２３６６０５号公報（第４頁、第３図）
【００１８】
【発明が解決しようとする課題】
ところで、このようなアジマス記録を行う磁気テープ装置では、隣接する記録トラックの一部を消去してしまう、いわゆるサイドイレースが発生することがある。このサイドイレースは、アジマス角のないノンアジマス記録においては通常、上述したトラック幅方向の側面からの漏洩磁界、すなわちサイドフリンジング磁界によるものが主な原因であり、このようなサイドイレースが発生すると、再生ヘッドによって各記録トラックから十分な信号を読み出すことができず、Ｓ／Ｎ比（Ｓｉｇｎａｌ−Ｎｏｉｓｅ  ｒａｔｉｏ）が低下するといった問題が発生してしまう。
【００１９】
また、アジマス記録の場合には、一対の記録ヘッドがアジマス角に応じて斜めに配置されるために、ノンアジマス記録の場合に比べて、トラック幅方向の側面に発生する漏洩磁界がサイドフリンジング磁界として、より顕著に影響を及ぼすことになる。さらに、上述した図３６に示す薄膜磁気ヘッド１００のように、サイドフリンジングによる影響が無視できる程度にまでサイドフリンジング磁界を小さくした場合でも、アジマス記録によってサイドイレースが発生することがある。
【００２０】
具体的に、この薄膜磁気ヘッド１００では、通常、当該ヘッドの走査方向において先行する側（以下、リーディング側という。）に位置する下部磁気コア層１０２側の突部１０２ｂで発生した記録磁界によって記録される記録ビットを、このリーディング側とは反対側（以下、トレーリング側という。）に位置する上部磁気コア層１０３側の突部１０３ａで発生した記録磁界が記録し直すことになる。そして、このアジマス記録の場合には、図３８に示すように、薄膜磁気ヘッド１００がアジマス角に応じて斜めに配置されるために、リーディング側に位置する下部磁気コア層１０２側の突部１０２ｂと、トレーリング側に位置する上部磁気コア層１０３側の突部１０３ａとの間で、当該ヘッドの走査方向と直交する方向、すなわちトラック幅方向のずれが発生してしまう。
【００２１】
この場合、薄膜磁気ヘッド１００によって磁気テープに形成される記録トラックにおいて、リーディング側に位置する下部磁気コア層１０２側の突部１０２ｂで発生した記録磁界と、トレーリング側に位置する上部磁気コア層１０３側の突部１０３ａで発生した記録磁界とのトラック幅方向のずれによって、下部磁気コア層１０２側の突部１０２ｂで発生した記録磁界によって記録される記録ビットのトラック幅Ｔｗ１’と、上部磁気コア層１０３側の突部１０３ａで発生した記録磁界によって記録される記録ビットのトラック幅Ｔｗ２’との位相差を含んだ記録ビットが記録されてしまい、この自己記録トラックの実効トラック幅が狭くなるといった問題が発生してしまう。
【００２２】
また、アジマス記録の場合には、記録トラックの狭トラック化に伴って、上述したサイドイレースがトラックピッチに対して次第に大きくなり、Ｓ／Ｎ比が益々悪くなるといった問題が発生してしまう（例えば、特許文献３参照）。
【００２３】
ここで、上述した図３７に示す磁気テープ４００において、隣接する記録トラックＡ’，Ｂ’のうち、一方の記録トラック（自己記録トラック）のトラック幅をＷｈとし、この自己記録トラックＡ’に隣接する記録トラックＢ’が重ね書きされる幅をＷａとし、この自己記録トラックを形成する一方の記録ヘッドのアジマス角をθとし、この自己記録トラックに信号を記録する際の記録波長をλとしたときに、片側に隣接する記録トラックからのクロストーク（ノイズ）と自己記録トラックとの比Ｅは、次式により定義される。
【００２４】
【数１】
2004164756.tif 000003
【００２５】
この式から明らかなように、自己記録トラックのトラック幅Ｗｈが小さくに従って、この自己記録トラックに対する隣接する記録トラックからのクロストークの割合が大きくなる。したがって、高記録密度化に対応して狭トラック化が進むと、逆にアジマス記録による隣接する記録トラックからのクロストークを抑制するメリットが小さくなってしまう。
【００２６】
特に、磁気テープ装置では、磁気テープと記録ヘッドとの磁気的スペーシングによって記録ヘッドのギャップ長が略々決定されるために、高記録密度化に対応してトラック幅を狭くしても、磁気テープと記録ヘッドとの磁気的スペーシングが変わらなければ、ギャップ長は一定のままとなり、上述したアジマス記録によるクロストークの問題が益々深刻化してしまう。
【００２７】
したがって、従来の磁気テープ装置のように、記録トラックのトラック幅が例えば２０μｍ程度と大きいときには、アジマス記録によって隣接する記録トラックからのクロストークを抑制することが可能であり、且つ、ガードバンドレス記録によって隣接する記録トラック間のガードバンドを無し、磁気テープに対する記録密度を高めることが可能であるものの、高記録密度化に対応して、記録トラックのトラック幅を例えば１〜２μｍ程度にまで小さくすると、アジマス記録による隣接する記録トラックからのクロストークを抑制するメリットが無くなってしまう。
【００２８】
すなわち、上述したアジマス記録によるメリットが期待できない程度にまで記録トラックが狭トラック化が進んだ場合には、むしろノンアジマス記録に変更した方が特性が良くなる。
【００２９】
しかしながら、高記録密度化に対応させるため、磁気テープ装置をノンアジマス記録とした場合には、従来のようにアジマス記録によって低記録密度に信号が記録された磁気テープに対する互換性を失うことになる。したがって、従来の磁気テープ装置との下位互換性を保つためには、記録トラックの狭トラック化によってメリットを失うアジマス記録を続けなければならない不都合が生じてしまう。
【００３０】
そこで、本発明は、このような従来の事情に鑑みて提案されたものであり、高記録密度化に対応して記録トラックのトラック幅を狭くした場合でも、隣接する記録トラックからのクロストークを抑制することを可能とした磁気ヘッド装置を提供することを目的とする。
【００３１】
また、本発明は、そのような磁気ヘッド装置を磁気テープに対して信号を記録する信号記録手段として用いることで、Ｓ／Ｎ比の低下を抑制しながら、磁気テープに対する記録密度を大幅に高めることを可能とした磁気テープ装置を提供することを目的とする。
【００３２】
また、本発明は、そのような磁気テープ等の磁気記録媒体に対して信号を連続的に記録する際に、Ｓ／Ｎ比の低下を抑制しながら、磁気記録媒体に対する記録密度を大幅に高めることを可能とした信号記録方法を提供することを目的とする。
【００３３】
【課題を解決するための手段】
この目的を達成するために、本発明に係る磁気ヘッド装置は、回転ドラムに搭載されてヘリカルスキャン方式により磁気テープの走行方向に対して斜めに走査される一対の記録ヘッドを備え、このうち、一方の記録ヘッドが磁気テープに対して記録信号に応じた磁界を印加しながら一方の記録トラックを形成し、この一方の記録トラックに隣接して、他方の記録ヘッドが磁気テープに対して記録信号に応じた磁界を印加しながら他方の記録トラックを形成することによって、磁気テープに対して連続的に信号を記録する。また、一方の記録ヘッドは、その磁気ギャップが当該ヘッドの走査方向と直交する方向に対してアジマス角に応じて斜めとなるように配置され、且つ、その磁気ギャップを介して突き合わされる一対の磁気コアのうち、当該ヘッドの走査方向において先行する側（リーディング側）に位置する磁気コアが記録トラックのトラック中心からずれる側に、次の記録トラックが形成されるように、アジマス角の傾ける向きが設定されることによって、一方の記録トラックにアジマス記録を行う。また、他方の記録ヘッドは、その磁気ギャップが当該ヘッドの走査方向と直交する方向と平行となるように配置されることによって、他方の記録トラックにノンアジマス記録を行う。そして、先に書き込まれる記録トラックに、次に書き込まれる記録トラックが所定の幅だけ重ね書きされるように、一方の記録トラックと他方の記録トラックとを交互に並んで形成することを特徴としている。
【００３４】
また、本発明に係る磁気テープ装置は、磁気テープを走行させるテープ走行手段と、テープ走行手段により走行される磁気テープが外周面に巻き付けられた状態で回転駆動される回転ドラムと、回転ドラムに搭載されてヘリカルスキャン方式により磁気テープの走行方向に対して斜めに走査される一対の記録ヘッドを備える。そして、一対の記録ヘッドは、一方の記録ヘッドが磁気テープに対して記録信号に応じた磁界を印加しながら一方の記録トラックを形成し、この一方の記録トラックに隣接して、他方の記録ヘッドが磁気テープに対して記録信号に応じた磁界を印加しながら他方の記録トラックを形成することによって、磁気テープに対して連続的に信号を記録する。また、一方の記録ヘッドは、その磁気ギャップが当該ヘッドの走査方向と直交する方向に対してアジマス角に応じて斜めとなるように配置され、且つ、その磁気ギャップを介して突き合わされる一対の磁気コアのうち、当該ヘッドの走査方向において先行する側（リーディング側）に位置する磁気コアが記録トラックのトラック中心からずれる側に、次の記録トラックが形成されるように、アジマス角の傾ける向きが設定されることによって、一方の記録トラックにアジマス記録を行う。また、他方の記録ヘッドは、その磁気ギャップが当該ヘッドの走査方向と直交する方向と平行となるように配置されることによって、他方の記録トラックにノンアジマス記録を行う。そして、先に書き込まれる記録トラックに、次に書き込まれる記録トラックが所定の幅だけ重ね書きされるように、一方の記録トラックと他方の記録トラックとを交互に並んで形成することを特徴としている。
【００３５】
また、本発明に係る信号記録方法は、磁気記録媒体に対して走査される一対の記録ヘッドのうち、一方の記録ヘッドが磁気記録媒体に対して記録信号に応じた磁界を印加しながら一方の記録トラックを形成し、この一方の記録トラックに隣接して、他方の記録ヘッドが磁気記録媒体に対して記録信号に応じた磁界を印加しながら他方の記録トラックを形成することによって、磁気記録媒体に対して連続的に信号を記録する。また、一方の記録ヘッドは、その磁気ギャップが当該ヘッドの走査方向と直交する方向に対してアジマス角に応じて斜めとなるように配置され、且つ、その磁気ギャップを介して突き合わされる一対の磁気コアのうち、当該ヘッドの走査方向において先行する側（リーディング側）に位置する磁気コアが記録トラックのトラック中心からずれる側に、次の記録トラックが形成されるように、アジマス角の傾ける向きが設定されることによって、一方の記録トラックにアジマス記録を行う。また、他方の記録ヘッドは、その磁気ギャップが当該ヘッドの走査方向と直交する方向と平行となるように配置されることによって、他方の記録トラックにノンアジマス記録を行う。そして、先に書き込まれる記録トラックに、次に書き込まれる記録トラックが所定の幅だけ重ね書きされるように、一方の記録トラックと他方の記録トラックとを交互に並んで形成することを特徴としている。
【００３６】
以上のように、本発明では、回転ドラムに搭載された一対の記録ヘッドのうち、一方の記録ヘッドがアジマス記録により一方の記録トラックを形成し、この一方の記録トラックに隣接して、他方の記録ヘッドがノンアジマス記録により他方の記録トラックを形成することによって、磁気テープに対して繰り返し記録トラックを形成しながら信号を連続的に記録する。
【００３７】
このとき、一方の記録ヘッドがアジマス記録を行うことによって、一方の記録トラックには、当該記録ヘッドの磁気ギャップを介して突き合わされる一対の時コアのうち、リーディング側に位置する磁気コアと、トレーリング側に位置する磁気コアとのトラック幅方向のずれにより位相差が生じて、そのトラック幅方向の一端、すなわちリーディング側に位置する磁気コアが記録トラックのトラック中心からずれる側の端部から、当該ヘッドの走査方向に尾を引くように伸びる裾引き部分が形成された非対称な記録ビットが記録される。
【００３８】
また、他方の記録ヘッドがノンアジマス記録を行うことによって、他方の記録トラックには、トラック幅方向の側面からの漏洩磁界（サイドフリンジング磁界）によって、そのトラック幅方向の両端部から当該ヘッドの走査方向に尾を引くように伸びる一対の裾引き部分が形成された対称な記録ビットが記録される。
【００３９】
なお、アジマス記録によって記録された記録ビットは、そのトラック幅方向の他端において、ほとんど裾引き部分を生じさせておらず、代わって、そのトラック幅方向の一端に形成された裾引き部分が、ノンアジマス記録によって記録された記録ビットの一対の裾引き部分よりも大きなものとなっている。
【００４０】
そして、一方の記録ヘッドは、リーディング側に位置する磁気コアが記録トラックのトラック中心からずれる側に、次の記録トラックが形成されるように、アジマス角の傾ける向きが設定されている。これにより、一方の記録トラックに記録された記録ビットの裾引き部分が、次に書き込まれる他方の記録トラックにより重ね書きされて消去される。
【００４１】
以上のようにして、本発明では、一方の記録トラックに記録される記録ビットの裾引き部分が生じる側と、次の他方の記録トラックが所定の幅だけ重ね書きされる側とが一致するように、磁気テープに対してアジマス記録による一方の記録トラックとノンアジマス記録による他方の記録トラックとを当該磁気テープの長手方向に交互に並んで形成する。
【００４２】
これにより、高記録密度化に対応して記録トラックのトラック幅を狭くした場合でも、アジマス記録によって自己記録トラック内に記録される記録ビットの位相差に起因するサイドイレースの問題を解決し、隣接する記録トラックからのクロストークを抑制することができる。
【００４３】
また、以上のような本発明に係る信号記録方法は、上述したヘリカルスキャン方式によって磁気テープに対して信号を記録する場合の他にも、例えばリニア記録方式によって磁気テープの走行方向に対して記録ヘッドを平行に走査しながら磁気テープに対して信号を記録する場合や、磁気ディスク等の磁気記録媒体に対して信号を記録する場合にも適用可能である。
【００４４】
【発明の実施の形態】
以下、本発明を適用した磁気ヘッド装置、磁気テープ装置及び信号記録方法について、図面を参照しながら詳細に説明する。
【００４５】
図１に示すように、本発明を適用した磁気テープ装置１は、ヘリカルスキャン方式によってテープカセット２に収納された磁気記録媒体である磁気テープ３に対して情報信号の記録／再生を行う。
【００４６】
テープカセット２は、磁気テープ装置１に対して着脱可能とされており、このテープカセット２には、磁気テープ３を供給するための供給リール４と、この供給リール４から供給された磁気テープ３を巻き取るための巻取リール５とが回転可能に設けられている。
【００４７】
なお、磁気テープ３には、強磁性粉末を結合剤中に分散して、非磁性支持体上に塗布した、いわゆる塗布型テープばかりでなく、非磁性支持体上に金属磁性膜を斜方に蒸着させてなる、いわゆる蒸着テープが用いられる。この場合、蒸着テープは、保磁力、残留磁化、角形比等に優れ、短波長での電磁変換特性に優れるばかりでなく、塗布型テープに比べて、磁性層の厚みを極めて薄くできるため、記録減磁や再生時の厚み損失が小さいこと、磁性層中に非磁性材である結合剤を混入する必要がないため、磁性材料の充填密度を高め、大きな磁化を得ることができる等、数々の利点を有している。したがって、このような蒸着テープを上述したテープカセット２の磁気テープ３に用いることで、電磁変換特性を向上させ、より大きな出力を得ることが可能となっている。
【００４８】
磁気テープ装置１は、テープカセット２が着脱される装置本体６を備え、この装置本体６には、テープカセット２のローディング時に供給リール４と巻取リール５との間で磁気テープ３の引き回しを行う複数のガイドローラ７ａ〜７ｆが設けられている。
【００４９】
また、ガイドローラ７ｅとガイドローラ７ｆとの間には、テープ走行手段として、磁気テープ３が掛け合わされるピンチローラ８と、このピンチローラ８と共に磁気テープ３を挟み込むキャップスタン９と、このキャップスタン９を回転駆動するキャップスタンモータ９ａとが設けられている。そして、磁気テープ３は、ピンチローラ８とキャップスタン９との間に挟み込まれた状態で、キャップスタンモータ９ａによりキャップスタン９が図１中矢印Ａ方向に回転駆動されることによって、図１中矢印Ｂ方向に一定の速度及び張力で走行するようになされている。
【００５０】
また、ガイドローラ７ｃとガイドローラ７ｄとの間には、本発明を適用した磁気ヘッド装置１０が記録再生手段として設けられている。
【００５１】
この磁気ヘッド装置１０は、信号記録手段である一対の記録ヘッド１１ａ，１１ｂと、信号再生手段である一対の再生ヘッド１２ａ，１２ｂ及び互換再生ヘッド１２ｃとが搭載されたヘッドドラム１３を備えている。そして、磁気テープ３は、上述した複数のガイドローラ７ａ〜７ｆによってテープカセット２から引き出され、このヘッドドラム１３に略１８０゜の角度範囲でヘリカル状に巻き付けられた状態で、図１中矢印Ｂ方向に走行される。
【００５２】
ヘッドドラム１３は、図２及び図３に示すように、上下方向に組み合わされた一組の回転ドラム１４及び固定ドラム１５と、回転ドラム１４を回転駆動する駆動モータ１６とを備え、互いの中心軸を一致させた状態で装置本体６のベースに対してやや斜めに傾斜した状態で配置されている。
【００５３】
このうち、下ドラムを構成する固定ドラム１５は、装置本体６のベースに固定支持されており、その円筒状の外周面１５ａには、磁気テープ３を案内するリードガイド１７が形成されている。磁気テープ３は、このリードガイド１７に沿って回転ドラム１４の回転方向に対して斜めに走行される。
【００５４】
一方、上ドラムを構成する回転ドラム１４は、中心軸を一致させた略同径の固定ドラム１５に対して回転可能に支持されると共に、固定ドラム１５の下方に配置された駆動モータ１６によって、図１及び図２中矢印Ｃ方向に回転駆動される。また、回転ドラム１４の固定ドラム１５と対向する側の外周部には、磁気テープ３に対して信号の記録動作を行う一対の記録ヘッド１１ａ，１１ｂと、磁気テープ３に対して信号の再生動作を行う一対の再生ヘッド１２ａ，１２ｂ及び互換再生ヘッド１２ｃとが取り付けられている。
【００５５】
一対の記録ヘッド１１ａ，１１ｂは、軟磁性体からなる一対の磁気コアが非磁性体からなる磁気ギャップを介して接合されると共に、磁気コアにコイルが巻装されてなるインダクティブ型磁気ヘッドである。
【００５６】
これら一対の記録ヘッド１１ａ，１１ｂは、回転ドラム１４の回転中心に対して互いになす中心角が１８０°となる位置において互いに対向配置されている。また、これら一対の記録ヘッド１１ａ，１１ｂは、それぞれの記録ギャップ（磁気ギャップ）が回転ドラム１４の外周面から外部に臨むように、回転ドラム１４の外周面から僅かに突出して設けられている。
【００５７】
また、これら一対の記録ヘッド１１ａ，１１ｂのうち、一方の記録ヘッド１１ａは、磁気テープ３に対してアジマス記録を行えるように、その記録ギャップが当該ヘッドの走査方向と直交する方向に対してアジマス角θに応じて斜めとなるように配置されている。また、他方の記録ヘッド１１ｂは、磁気テープ３に対してノンアジマス記録を行えるように、その記録ギャップが当該ヘッドの走査方向と直交する方向に対して平行となるように配置されている。
【００５８】
具体的に、これら一対の記録ヘッド１１ａ，１１ｂには、図４，図５，図６，図７及び図８に示すインダクティブ型の薄膜磁気ヘッド２０が用いられている。
【００５９】
この薄膜磁気ヘッド２０は、例えばメッキ法やスパッタ法、イオンミリング法等の薄膜形成技術によって基板上に磁気コアやコイル等の各構成要素が形成されるため、狭トラック化が可能であり、更なる磁気記録媒体の高記録密度化に対応することが可能となっている。
【００６０】
また、これら記録ヘッド１１ａ，１１ｂは、非磁性体からなる第１のヘッド部材２１上に薄膜磁気ヘッド２０が形成され、この薄膜磁気ヘッド２０上に保護層２２を介して非磁性体からなる第２のヘッド部材２３が貼り付けられた構造を有している。
【００６１】
なお、この薄膜磁気ヘッド２０は、第１のヘッド部材２１となる基板上に同一形状となる多数のヘッド素子を形成し、このヘッド素子が形成された基板上に第２のヘッド部材２３となる基板を貼り合わせてヘッドブロックを形成した後、このヘッドブロックを個々のヘッドチップとして切り出すことで作製される。
【００６２】
また、この薄膜磁気ヘッド２０は、磁気テープ３との当たりを良くするため、その磁気テープ３と対向する媒体対向面２０ａが、図４中矢印Ｄに示す当該ヘッドの走査方向に沿って略円弧状に湾曲した曲面となっている。そして、この媒体対向面２０ａからは、記録ギャップＧが外部に臨むことになる。
【００６３】
なお、一対の記録ヘッド１１ａ，１１ｂは、アジマス記録とノンアジマス記録の違いにより当該ヘッドの走査方向と直交する方向に対する薄膜磁気ヘッド２０の配置が異なる以外は、同一の構成を有している。したがって、以下の説明では、これら一対の記録ヘッド１１ａ，１１ｂをまとめて薄膜磁気ヘッド２０として説明するものとする。
【００６４】
この薄膜磁気ヘッド２０は、第１のヘッド部材２１上に、磁路を形成する下部磁気コア層２４と上部磁気コア層２５とが積層されてなる。そして、下部磁気コア層２４と上部磁気コア層２５とは、それぞれ磁気テープ３と対向する媒体対向面、すなわち媒体対向面２０ａ側の端部に、磁気テープ３に形成される記録トラックに対応して所定のトラック幅Ｔｗ１，Ｔｗ２で突出された突部２４ａ，２５ａを有しており、これら突部２４ａ，２５ａが非磁性層２６を介して互いに突き合わされることで磁気ギャップＧが形成されている。
【００６５】
このように、薄膜磁気ヘッド２０では、下部磁気コア層２４上に、上部磁気コア層２５側の突部２５ａと対向する突部２４ａを突出形成することによって、磁気ギャップＧからの記録磁界をトラック幅方向に狭くすることが可能であり、微細な記録ビットを磁気テープ３の記録トラック上に記録することが可能となっている。
【００６６】
また、この薄膜磁気ヘッド２０は、当該ヘッドの走査方向において上部磁気コア層２５が下部磁気コア層２４よりも先行する側に位置するように配置されている。すなわち、この薄膜磁気ヘッド２０では、当該ヘッドの走査方向において先行する側、いわゆるリーディング側に上部磁気コア層２５側の突部２５ａが位置し、このリーディング側とは反対側、いわゆるトレーリング側に下部磁気コア層２４側の突部２４ａが位置することになる。
【００６７】
また、この薄膜磁気ヘッド２０は、リーディング側に位置する上部磁気コア層２５側の突部２５ａのトラック幅Ｔｗ２が、トレーリング側に位置する下部磁気コア層２４側の突部２４ａのトラック幅Ｔｗ１に対して同等又は小さくなるように形成されている。
【００６８】
一方、この薄膜磁気ヘッド２０には、媒体対向面２０ａからデプス方向に離間した他端部において、下部磁気コア層２４と上部磁気コア層２５が接合されることで接合部分であるバックギャップが形成されている。そして、下部磁気コア層２４と上部磁気コア層２５との間には、このバックギャップを中心に巻回された薄膜コイル２７が非磁性層２６に埋め込まれた状態で設けられている。
【００６９】
また、この薄膜コイル２７の内周側の端部及び外周側の端部は、図４に示すように、それぞれ媒体対向面２０ａとは反対側に向かって引き延ばされた引き出し導線２８ａ，２８ｂの一端と接続されている。そして、これら引き出し導線２８ａ，２８ｂの他端部には、薄膜コイル２７に対して記録信号に応じた電流を供給するための外部回路と接続される外部接続用端子２９ａ，２９ｂが設けられている。
【００７０】
また、この薄膜磁気ヘッド２０の最上層には、外部接続用端子２９ａ，２９ｂが外部に臨む部分を除いて全面を被覆するように、この薄膜磁気ヘッド２０が形成された第１のヘッド部材２１と第２のヘッド部材２３とを接合するように、上述した保護層２２が設けられている。
【００７１】
一方、一対の再生ヘッド１２ａ，１２ｂ及び互換再生ヘッド１２ｃは、磁気テープ３からの信号を検出する感磁素子として磁気抵抗効果素子（以下、ＭＲ素子という。）を備えた磁気抵抗効果型磁気ヘッド（以下、ＭＲヘッドという。）である。
【００７２】
これら一対の再生ヘッド１２ａ，１２ｂは、図２及び図３に示すように、回転ドラム１４の回転中心に対して互いになす中心角が１８０°となる位置において互いに対向配置されている。また、互換再生ヘッド１２ｃは、一対の再生ヘッド１２ａ，１２ｂのうち、一方の再生ヘッド１２ａと対向するように、他方の再生ヘッド１２ｂの近傍に配置されている。また、これら一対の再生ヘッド１２ａ，１２ｂ及び互換再生ヘッド１２ｃは、それぞれの再生ギャップが回転ドラム１４の外周面から外部に臨むように、回転ドラム１４の外周面から僅かに突出して設けられている。
【００７３】
また、これら一対の再生ヘッド１２ａ，１２ｂのうち、一方の再生ヘッド１２ａは、磁気テープ３に対して一方の記録ヘッド１１ａによりアジマス記録された信号を再生できるように、その再生ギャップが当該ヘッドの走査方向と直交する方向に対してアジマス角θに応じて斜めとなるように配置されている。また、他方の再生ヘッド１２ｂは、磁気テープ３に対して他方の記録ヘッド１１ｂによりノンアジマス記録された信号を再生できるように、その記録ギャップが当該ヘッドの走査方向と直交する方向に対して平行となるように配置されている。
【００７４】
また、互換再生ヘッド１２ｃは、一方の記録ヘッド１１ａとはアジマス角の傾ける向きを逆向きとした記録ヘッドによりアジマス記録された信号を再生できるように、その再生ギャップが当該ヘッドの走査方向と直交する方向に対して、上記一方の記録ヘッド１１ａのアジマス角θとは逆向きのアジマス角θに応じて斜めとなるように配置されている。すなわち、一方の再生ヘッド１２ａと互換再生ヘッド１２ｃとは、互いのアジマス角θが逆位相となるように設定されている。
【００７５】
具体的に、これら一対の再生ヘッド１２ａ，１２ｂ及び互換再生ヘッド１２ｃには、図９及び図１０に示すシールド型のＭＲヘッド４０が用いられている。
【００７６】
このＭＲヘッド４０は、例えばメッキ法やスパッタ法、イオンミリング法等の薄膜形成技術によって基板上に各構成要素が形成されるため、狭トラック化が可能であり、更なる磁気記録媒体の高記録密度化に対応することが可能となっている。
【００７７】
また、これら再生ヘッド１２ａ，１２ｂ，１２ｃは、第１のヘッド部材４１上に、例えばメッキ法やスパッタ法、蒸着法等の薄膜形成技術によりＭＲヘッド４０が形成され、このＭＲヘッド４０上に保護層４２を介して第２のヘッド部材４３が貼り付けられた構造を有している。
【００７８】
なお、このＭＲヘッド４０は、第１のヘッド部材４１となる基板上に同一形状となる多数のヘッド素子を形成し、このヘッド素子が形成された基板上に第２のヘッド部材４３となる基板を貼り合わせてヘッドブロックを形成した後、このヘッドブロックを個々のヘッドチップとして切り出すことで作製される。
【００７９】
また、このＭＲヘッド４０は、磁気テープ３との当たりを良くするため、その磁気テープ３と対向する媒体対向面４０ａが、図９中矢印Ｄに示す当該ヘッドの走査方向に沿って略円弧状に湾曲した曲面となっている。そして、この媒体対向面４０ａからは、後述するＭＲ素子４７が外部に臨むことになる。
【００８０】
なお、一対の再生ヘッド１２ａ，１２ｂ及び互換再生ヘッド１２ｃは、アジマス記録とノンアジマス記録の違いにより当該ヘッドの走査方向と直交する方向に対するＭＲヘッド４０の配置が異なる以外は、同一の構成を有している。したがって、以下の説明では、これら一対の再生ヘッド１２ａ，１２ｂ及び互換再生ヘッド１２ｃをまとめてＭＲヘッド４０として説明するものとする。
【００８１】
このＭＲヘッド４０は、第１のヘッド部材４１上に下部磁気シールド層４４と上部磁気シールド層４５とが積層され、これら上下一対の磁気シールド層４４，４５の間にギャップ層４６を介してＭＲ素子４７が挟み込まれたシールド構造を有している。
【００８２】
下部磁気シールド層４４及び上部磁気シールド層４５は、ＭＲ素子４７を磁気的にシールドするのに十分な幅を有する軟磁性膜からなり、ギャップ層４６を介してＭＲ素子４７を挟み込むことにより、磁気テープ３からの信号磁界のうち、再生対象外の磁界がＭＲ素子４７に引き込まれないように機能する。すなわち、このＭＲヘッド４０では、ＭＲ素子４７に対して再生対象外の信号磁界が一対の磁気シールド層４４，４５に導かれ、再生対象の信号磁界だけがＭＲ素子４７へと導かれる。これにより、ＭＲ素子４７の周波数特性及び読み取り分解能の向上が図られている。
【００８３】
ギャップ層４６は、ＭＲ素子４７と一対の磁気シールド層４４，４５との間を磁気的に隔離する非磁性非導電性膜からなり、一対の磁気シールド層４４，４５とＭＲ素子４７との間隔がギャップ長となる。
【００８４】
ＭＲ素子４７は、外部磁界の変化に応じて電気抵抗が変化する、いわゆる磁気抵抗効果を利用したものであり、このＭＲ素子４７に対してセンス電流を流しながら、このセンス電流の電圧変化を検出することにより、磁気テープ３に記録された信号を読み取るようになされている。また、ＭＲ素子４７としては、例えば異方性磁気抵抗効果を利用したＭＲ素子や、ＳＡＬ（Ｓｏｆｔ  Ａｄｊａｃｅｎｔ  Ｌａｙｅｒ）バイアス方式を利用したＭＲ素子、より大きな出力が得られるスピンバルブ膜等の巨大磁気抵抗効果（ＧＭＲ：Ｇｉａｎｔ  ＭａｇｎｅｔｒｏＲｅｓｉｓｔｉｖｉｔｙ）を利用したＧＭＲ素子等を用いることができる。
【００８５】
また、このＭＲ素子４７の動作の安定化を図るため、ＭＲ素子４７の長手方向の両端部には、このＭＲ素子４７にバイアス磁界を印加するための一対の永久磁石膜４８ａ，４８ｂが設けられている。そして、これら一対の永久磁石膜４８ａ，４８ｂに挟み込まれた部分の幅が、ＭＲ素子４７の再生トラック幅Ｔｗとなっている。
【００８６】
なお、このＭＲ素子４７の再生トラック幅Ｔｗは、記録トラックに対するトラック幅方向の位置決めを考慮した場合、上述した一対の記録ヘッド１１ａ，１１ｂのトラック幅よりも大きく形成することが好ましいものの、より感度の大きいＭＲ素子を使用した場合には、上述した一対の記録ヘッド１１ａ，１１ｂのトラック幅よりも小さく形成することも可能である。
【００８７】
また、一対の永久磁石膜４８ａ，４８ｂ上には、このＭＲ素子４７の抵抗値を減少させるための一対の低抵抗化膜４９ａ，４９ｂが設けられている。そして、このＭＲ素子４７には、センス電流を供給するための一対の導体部５０ａ，５０ｂが、その一端部側をそれぞれ一対の永久磁石膜４８ａ，４８ｂ及び低抵抗化膜４９ａ，４９ｂに接続するように設けられている。また、この導体部５０ａ，５０ｂの他端部側には、外部回路と接続される一対の外部接続用端子５１ａ，５１ｂが設けられている。
【００８８】
また、このＭＲヘッド４０の最上層には、外部接続用端子５１ａ，５１ｂが外部に臨む部分を除いて全面を被覆すると共に、このＭＲヘッド４０が形成された第１のヘッド部材４１と第２のヘッド部材４３とを接合するように、上述した保護層４２が設けられている。
【００８９】
そして、このヘリカルスキャン方式を採用する磁気ヘッド装置１０では、ヘッドドラム１３に巻き付けられた磁気テープ３が、図２中矢印Ｂ方向に走行されながら、駆動モータ１６により回転ドラム１４が、図２中矢印Ｃ方向に回転駆動されることによって、この回転ドラム１４に搭載された一対の記録ヘッド１１ａ，１１ｂと、一対の再生ヘッド１２ａ，１２ｂ及び互換再生ヘッド１２ｃとが、磁気テープ３に対して斜めに走査されることになる。そして、この回転ドラム１４に搭載された一対の記録ヘッド１１ａ，１１ｂと、一対の再生ヘッド１２ａ，１２ｂ及び互換再生ヘッド１２ｃとが、磁気テープ３と摺接しながら、信号の記録動作又は再生動作を行う。
【００９０】
具体的に、記録時には、図１１に示すように、一方の記録ヘッド１１ａが、アジマス記録により磁気テープ３に対して記録信号に応じた磁界を印加しながら所定のトラック幅で一方の記録トラックＡを形成し、この一方の記録トラックＡに隣接して、他方の記録ヘッド１１ｂが、ノンアジマス記録により磁気テープ３に対して記録信号に応じた磁界を印加しながら所定のトラック幅で他方の記録トラックＢを形成する。そして、これら一対の記録ヘッド１１ａ，１１ｂが磁気テープ３に対して繰り返し記録トラックＡ，Ｂを形成することによって、磁気テープ３に対して連続的に信号を記録することになる。
【００９１】
また、記録時には、先に書き込まれる記録トラックに、次に書き込まれる記録トラックが所定の幅Ｗａだけ一部重ね書き（オーバーライト）されることによって、隣接する記録トラックＡ，Ｂ間の未記録領域（ガードバンド）を無くし、磁気テープ３に対する記録密度を高めることが行われている。
【００９２】
一方、再生時には、一方の再生ヘッド１２ａが、一方の記録ヘッド１１ａにより磁気テープ３にアジマス記録された一方の記録トラックＡから信号磁界を検出し、この一方の記録トラックＡに隣接して、他方の再生ヘッド１２ｂが、他方の記録ヘッド１１ｂにより磁気テープ３にノンアジマス記録された他方の記録トラックＢから信号磁界を検出する。そして、これら一対の再生ヘッド１２ａ，１２ｂが記録トラックＡ，Ｂから繰り返し信号磁界を検出することによって、磁気テープ３に記録された信号を連続的に再生することになる。
【００９３】
ところで、この磁気ヘッド装置１０によって信号が記録された磁気テープ３には、図１１に示すように、アジマス記録により書き込まれた一方の記録トラックＡと、ノンアジマス記録により書き込まれた他方の記録トラックＢとが、所定のトラック幅ＷＡ，ＷＢで当該磁気テープ３の長手方向に交互に形成されることになる。
【００９４】
ここで、アジマス記録を行う記録ヘッドには、図１２及び図１３に示すように、互いにアジマス角θの傾ける向きを逆向きとした２種類のヘッドがある。ここでは、例えば図１２に示す向きに傾けられたアジマス角θをプラス（＋）とし、図１３に示す向きに傾けられたアジマス角θをマイナス（−）として区別する。
【００９５】
そして、一方の記録ヘッド１１ａは、リーディング側に位置する上部磁気コア層２５が一方の記録トラックＡのトラック中心からずれる側に、次の他方の記録トラックＢが形成されるように、アジマス角θの傾ける向きがプラス（＋）側に設定されている。
【００９６】
この場合、一方の記録ヘッド１１ａ（アジマス角＋θ）では、図１４（Ａ）に示すように、リーディング側に位置する上部磁気コア層２５側の突部２５ａと、トレーリング側に位置する下部磁気コア層２４側の突部２４ａとの間で発生した記録磁界が、磁気ギャップＧにおいてトラック幅方向の両側から幾分膨らんだような分布Ｍとなる。また、この信号磁界によって自己記録トラックに記録される記録ビットの磁化反転領域も、同様にトラック幅方向の両側において幾分膨らんだ形状となる。
【００９７】
したがって、一方の記録ヘッド１１ａがアジマス記録（アジマス角＋θ）を行うことによって、一方の記録トラックＡには、図１４（Ｂ）に示すように、当該記録ヘッドの磁気ギャップに対してリーディング側に位置する上部磁気コア層２５側の突部２５ａと、トレーリング側に位置する下部磁気コア層２４側の突部２４ａとのトラック幅方向のずれにより位相差が生じて、そのトラック幅方向の一端、すなわちリーディング側に位置する上部磁気コア層２５が記録トラックのトラック中心からずれる側の端部から、当該ヘッドの走査方向に尾を引くように伸びる記録パターン（以下、裾引き部分という。）３０ａが形成された非対称な記録ビット３０が記録される。すなわち、この記録ビット３０は、そのトラック幅方向の一端において、サイドイレースの発生がより顕著となっている。
【００９８】
また、他方の記録ヘッド１１ｂ（ノンアジマス）でも、図１５（Ａ）に示すように、リーディング側に位置する上部磁気コア層２５側の突部２５ａと、トレーリング側に位置する下部磁気コア層２４側の突部２４ａとの間で発生した記録磁界が、磁気ギャップＧにおいてトラック幅方向の両側から幾分膨らんだような分布Ｍとなる。また、この信号磁界によって自己記録トラックに記録される記録ビットの磁化反転領域も、同様にトラック幅方向の両側において幾分膨らんだ形状となる。
【００９９】
したがって、他方の記録ヘッドがノンアジマス記録を行うことによって、他方の記録トラックＢには、図１５（Ｂ）に示すように、トラック幅方向の側面からの漏洩磁界（サイドフリンジング磁界）によって、そのトラック幅方向の両端部から当該ヘッドの走査方向に尾を引くように伸びる一対の裾引き部分６０ａ，６０ｂが形成された対称な記録ビット６０が記録される。
【０１００】
ここで、アジマス記録によって記録された記録ビット３０は、そのトラック幅方向の他端において、ほとんど裾引き部分を生じさせておらず、代わりに、そのトラック幅方向の一端に形成された裾引き部分３０ａが、ノンアジマス記録によって記録された記録ビット６０の一対の裾引き部分６０ａ，６０ｂよりも大きなものとなっている。
【０１０１】
また、上述したように、一方の記録ヘッド１１ａは、リーディング側に位置する上部磁気コア層２５が一方の記録トラックＡのトラック中心からずれる側に、次の他方の記録トラックＢが形成されるように、アジマス角θの傾ける向きが設定されている。
【０１０２】
したがって、図１６に示すように、一方の記録トラック（アジマス角＋θ）Ａに、他方の記録トラック（ノンアジマス）Ｂが重ね書きされると、一方の記録トラックＡに記録された記録ビット３０の裾引き部分３０ａが、次に書き込まれる他方の記録トラックＢの記録ビット６０によって重ね書きされて消去されることになる。
【０１０３】
すなわち、一方の記録トラックＡに記録される記録ビット３０の裾引き部分３０ａが生じる側と、次の他方の記録トラックＢが所定の幅Ｗａだけ重ね書きされる側とが一致するように、ここでは、一方の記録ヘッド１１ａのアジマス角θの傾ける向きがプラス（＋）側に設定されている。
【０１０４】
以上のようにして、本発明を適用した磁気ヘッド装置１０では、一方の記録トラックＡと他方の記録トラックＢとを磁気テープ３の長手方向に交互に並んで形成することによって、高記録密度化に対応して記録トラックのトラック幅を狭くした場合でも、アジマス記録によって自己記録トラック内に記録される記録ビットの位相差に起因するサイドイレースの問題を解決し、隣接する記録トラックからのクロストークを抑制することが可能である。
【０１０５】
一方、上記磁気ヘッド装置１０において、一方の記録ヘッド１１ａのアジマス角θの傾ける向きがマイナス（−）側に設定されるのは、上述した図１６に示す場合とは一方の記録トラックＡと他方の記録トラックＢとのトラック形成方向が逆となる場合である。
【０１０６】
この場合、一方の記録ヘッド１１ａ（アジマス角−θ）でも、図１７（Ａ）に示すように、リーディング側に位置する上部磁気コア層２５側の突部２５ａと、トレーリング側に位置する下部磁気コア層２４側の突部２４ａとの間で発生した記録磁界が、磁気ギャップＧにおいてトラック幅方向の両側から幾分膨らんだような分布Ｍとなる。また、この信号磁界によって自己記録トラックに記録される記録ビットの磁化反転領域も、同様にトラック幅方向の両側において幾分膨らんだ形状となる。
【０１０７】
したがって、一方の記録ヘッド１１ａがアジマス記録（アジマス角−θ）を行うことによって、一方の記録トラックＡには、図１７（Ｂ）に示すように、当該記録ヘッドの磁気ギャップＧに対してリーディング側に位置する上部磁気コア層２５側の突部２５ａと、トレーリング側に位置する下部磁気コア層２４側の突部２４ａとのトラック幅方向のずれにより位相差が生じて、そのトラック幅方向の他端、すなわちリーディング側に位置する上部磁気コア層２５が記録トラックのトラック中心からずれる側の端部から、当該ヘッドの走査方向に尾を引くように伸びる裾引き部分３０ｂが形成された非対称な記録ビット３０が記録される。すなわち、この記録ビット３０は、そのトラック幅方向の他端において、サイドイレースの発生がより顕著となっている。
【０１０８】
ここで、一方の記録ヘッド１１ａは、リーディング側に位置する上部磁気コア層２５が一方の記録トラックＡのトラック中心からずれる側に、次の他方の記録トラックＢが形成されるように、アジマス角θの傾ける向きがマイナス（−）側に設定されている。
【０１０９】
したがって、図１８に示すように、一方の記録トラック（アジマス角−θ）Ａに、他方の記録トラック（ノンアジマス）Ｂが重ね書きされると、一方の記録トラックＡに記録された記録ビット３０の裾引き部分３０ｂが、次に書き込まれる他方の記録トラックＢの記録ビット６０によって重ね書きされて消去されることになる。
【０１１０】
以上のようにして、一方の記録ヘッド１１ａのアジマス角θの傾ける向きがマイナス（−）側に設定された磁気ヘッド装置１０では、上述した場合と同様に、一方の記録トラックＡと他方の記録トラックＢとを磁気テープ３の長手方向に交互に並んで形成することによって、高記録密度化に対応して記録トラックのトラック幅を狭くした場合でも、アジマス記録によって自己記録トラック内に記録される記録ビットの位相差に起因するサイドイレースの問題を解決し、隣接する記録トラックからのクロストークを抑制することが可能である。
【０１１１】
ところで、上述した図３７に示す従来の磁気ヘッド装置によって低記録密度で信号が記録された磁気テープ４００には、互いにアジマス角θの傾ける向きを逆向きとした一対の記録ヘッドを用いることによって、アジマス記録（アジマス角＋θ）により書き込まれた一方の記録トラックＡ’と、アジマス記録（アジマス角−θ）により書き込まれた他方の記録トラックＢ’とが、所定のトラック幅ＷＡ’，ＷＢ’で当該磁気テープ４００の長手方向に交互に形成されている。
【０１１２】
本発明を適用した磁気ヘッド装置１０には、この従来の磁気テープ装置によって低記録密度に信号が記録された磁気テープ４００に対する信号の再生を可能とするため、上述した一方の再生ヘッド１２ａとはアジマス角θの傾ける向きを逆向きとした互換再生ヘッド１２ｃが設けられている。
【０１１３】
そして、この磁気テープ装置１では、一方の再生ヘッド１２ａが、磁気テープ４００にアジマス記録（アジマス角＋θ）された一方の記録トラックＡ’から信号磁界を検出し、この一方の記録トラックＡ’に隣接して、互換再生ヘッド１２ｃが、磁気テープ３にアジマス記録（アジマス角−θ）された他方の記録トラックＢ’から信号磁界を検出する。そして、これら再生ヘッド１２ａ，１２ｃが記録トラックＡ’，Ｂ’から繰り返し信号磁界を検出することによって、磁気テープ４００に記録された信号を連続的に再生することができる。
【０１１４】
したがって、この磁気テープ装置１では、アジマス記録とノンアジマス記録とを組み合わせた一対の記録ヘッド１１ａ，１１ｂ及び一対の再生ヘッド１２ａ，１２ｂを用いて、磁気テープ３に対して高記録密度で信号の記録及び再生を行う一方、互いにアジマス角θの傾ける向きを逆向きとした一方の再生ヘッド１２ａ及び互換再生ヘッド１２ｃを用いて、低記録密度で記録された磁気テープ４００からの信号の再生を行うことができる。
【０１１５】
以上のように、この磁気テープ装置１では、これら一対の記録ヘッド１１ａ，１１ｂと、一対の再生ヘッド１２ａ，１２ｂ及び互換再生ヘッド１２ｃを回転ドラム１４に搭載することによって、従来の磁気ヘッド装置との下位互換性を保つことが可能となっている。
【０１１６】
ところで、上述した磁気ヘッド装置１０において、一対の記録ヘッド１１ａ，１１ｂは、磁気ギャップＧを介して突き合わされる一対の磁気コアのうち、上部磁気コア層２５がリーディング側に位置し、下部磁気コア層２４がトレーリング側に位置するように配置されている。また、これら一対の記録ヘッド１１ａ，１１ｂは、リーディング側に位置する上部磁気コア層２５側の突部２５ａのトラック幅Ｔｗ２が、トレーリング側に位置する下部磁気コア層２４側の突部２４ａのトラック幅Ｔｗ１に対して、同等又は小さくなるように形成されている。
【０１１７】
この場合、記録時には、幅狭な上部磁気コア層２５側の突部２５ａで発生した記録磁界によって記録された記録ビットを、幅広な下部磁気コア層２４側の突部２４ａで発生した記録磁界が記録し直すことになる。
【０１１８】
これにより、上述したトラック幅方向の側面からの漏洩磁界（サイドフリンジング磁界）によるサイドイレースの発生を抑制した記録ビットを記録トラックＡ，Ｂに記録することができる。すなわち、この記録ビットのトラック幅方向の端部から、当該ヘッドの走査方向に尾を引くように伸びる裾引き部分が生じるのを抑制することができる。
【０１１９】
したがって、上述した磁気ヘッド装置１０では、磁気テープ３に対して信号を記録する際に、一対の記録ヘッド１１ａ，１１ｂによって記録される自己記録トラックＡ，Ｂの実効トラック幅が狭くなるのを抑制することができる。
【０１２０】
さらに、上述した磁気ヘッド装置１０では、アジマス記録を行う上記一方の記録ヘッド１１ａとして、このアジマス記録によって自己記録トラック内に記録される記録ビットの位相差に起因するサイドイレースの発生を抑制することを可能とした、図１９、図２０及び図２１に示す薄膜磁気ヘッド７０を適用することも可能である。
【０１２１】
なお、この薄膜磁気ヘッド７０では、上記薄膜磁気ヘッド２０と同等な部位については説明を省略すると共に、図面において同じ符号を付すものとする。
【０１２２】
この薄膜磁気ヘッド７０は、更なる高記録密度化に対応するために、トラック幅を狭くすると共に、下部磁気コア層２４上に、上部磁気コア層２５側の突部２５ａと対向する突部２４ｂを突出させた形状を有している。また、この薄膜磁気ヘッド７０は、上述したアジマス記録を行うために、媒体対向面２０ａにおいて、磁気ギャップＧが図１９中矢印Ｄに示す当該ヘッドの走査方向と直交する方向に対してアジマス角θに応じて斜めとなるように配置されている。
【０１２３】
そして、この薄膜磁気ヘッド７０では、媒体対向面２０ａにおいて、下部磁気コア層２４側の突部２４ｂにおけるトラック幅方向の両側面が、それぞれアジマス角θ以上となる角度θ１，θ２で傾けられた傾斜面７０ａ，７０ｂとされており、これら傾斜面７０ａ，７０ｂの延長線Ｓ１，Ｓ２上に、それぞれ上部磁気コア層２５側の突部２５ａにおける磁気ギャップＧと隣接する側の両端部７１ａ，７１ｂが位置している。
【０１２４】
この場合、トレーリング側に位置する下部磁気コア層２４側の突部２４ｂの磁気ギャップＧと隣接する側のトラック幅Ｔｗ１よりも、リーディング側に位置する上部磁気コア層２５側の突部２５ａの磁気ギャップＧと隣接する側のトラック幅Ｔｗ２が小さくなる。なおかつ、磁気ギャップＧがアジマス角θに応じて斜めとなるように配置されても、リーディング側に位置する上部磁気コア層２５側のトラック幅Ｔｗ２が、トレーリング側に位置する下部磁気コア層２４側のトラック幅Ｔｗ１の内側に位置することになる。
【０１２５】
以上のように構成される薄膜磁気ヘッド７０では、外部回路から薄膜コイル２７に対して記録信号に応じた電流が供給されると、この薄膜コイル２７から発生する磁界によって、下部磁気コア層２４及び上部磁気コア層２５に磁束が流れると共に、磁気ギャップＧに記録磁界が発生する。そして、この記録磁界を磁気テープ３に対して印加していくことで、記録信号に応じた記録ビットが記録された記録トラックを形成することができる。
【０１２６】
ここで、上述した薄膜磁気ヘッド７０を用いてアジマス記録を行った場合には、図２２に示すように、当該ヘッドの走査方向において先行するリーディング側の上部磁気コア層２５側の突部２５ａで発生した記録磁界によって記録された記録ビットを、トレーリング側の下部磁気コア層２４側の突部２４ｂで発生した記録磁界が記録し直すことになる。
【０１２７】
この場合、トレーリング側に位置する下部磁気コア層２４側の突部２４ｂにおける傾斜面７０ｂの延長線Ｓ２上に、リーディング側に位置する上部磁気コア層２５側の突部２５ａの磁気ギャップＧと隣接する側の一端７１ｂが位置していることから、磁気テープ３に形成される記録トラックにおいて、トレーリング側に位置する下部磁気コア層２４側の突部２４ｂで発生した記録磁界によって記録される記録ビットのトラック幅Ｔｗ１と、リーディング側に位置する上部磁気コア層２５側の突部２５ａで発生した記録磁界によって記録される記録ビットのトラック幅Ｔｗ２との位相差を抑制した記録ビットを記録することができる。
【０１２８】
したがって、この薄膜磁気ヘッド７０では、磁気テープ３に対してアジマス記録を行った場合でも、サイドイレースの発生を抑制することができ、この薄膜磁気ヘッド７０によって形成される自己記録トラックの実効トラック幅が狭くなるのを抑制することができる。
【０１２９】
また、上述した磁気ヘッド装置１０では、アジマス記録を行う上記一方の記録ヘッド１１ａとして、上記薄膜磁気ヘッド７０の更なる変形として、図２３，図２４及び図２５に示す薄膜磁気ヘッド８０を適用することも可能である。
【０１３０】
なお、この薄膜磁気ヘッド８０では、上記薄膜磁気ヘッド７０と同等な部位については説明を省略すると共に、図面において同じ符号を付すものとする。
【０１３１】
この薄膜磁気ヘッド８０は、リーディング側に位置する上部磁気コア層２５側の突部２５ａにおいて、トレーリング側に位置する下部磁気コア層２４側の突部２４ｂの傾斜面７０ａ，７０ｂの延長線Ｓ１，Ｓ２上に位置する側面が、アジマス角以上となる角度θ１，θ２で傾けられた傾斜面８０ａ，８０ｂとされている以外は、上記薄膜磁気ヘッド７０と同様な構成を有している。
【０１３２】
この場合も、トレーリング側に位置する下部磁気コア層２４側の突部２４ｂの磁気ギャップＧと隣接する側のトラック幅Ｔｗ１よりも、リーディング側に位置する磁気コア層２５側の突部２５ａの磁気ギャップＧと隣接する側のトラック幅Ｔｗ２が小さくなる。なおかつ、磁気ギャップＧがアジマス角θに応じて斜めに配置されても、リーディング側に位置する上部磁気コア層２５側のトラック幅Ｔｗ２が、トレーリング側に位置する下部磁気コア層２４側のトラック幅Ｔｗ１の内側に位置することになる。
【０１３３】
そして、この薄膜磁気ヘッド８０を用いてアジマス記録を行った場合には、図２６に示すように、トレーリング側に位置する下部磁気コア層２４側の突部２４ｂにおける傾斜面７０ｂの延長線Ｓ２上に、リーディング側に位置する上部磁気コア層２５側の突部２５ａの傾斜面８０ｂが位置していることから、磁気テープ３に形成される記録トラックにおいて、トレーリング側に位置する下部磁気コア層２４側の突部２４ｂで発生した記録磁界によって記録される記録ビットのトラック幅Ｔｗ１と、リーディング側に位置する上部磁気コア層２５ａ側の突部２５ｂで発生した記録磁界によって記録される記録ビットのトラック幅Ｔｗ２との位相差を抑制した記録ビットを記録することができる。
【０１３４】
さらに、この場合には、これら傾斜面７０ｂ，８０ｂが形成された側面と、傾斜面７０ａ，８０ａが形成された側面との両側から発生するサイドフリンジング磁界を、上述した薄膜磁気ヘッド７０よりも更に少なくすることができ、その結果、この薄膜磁気ヘッド８０のサイドイレースの抑制は、上述した薄膜磁気ヘッド７０よりも更に大きなものとなる。
【０１３５】
したがって、この薄膜磁気ヘッド８０では、磁気テープ３に対してアジマス記録を行った場合でも、アジマス記録による磁気コアのトラック幅方向のずれが原因で生じるサイドイレースを抑制すると共にサイドフリンジング磁界によるサイドイレースの発生も抑制することができ、この薄膜磁気ヘッド８０によって形成される記録ビットの実効トラック幅が狭くなるのを抑制することができる。
【０１３６】
ところで、ＨＤＤに関する発明として、当該ヘッドの走査方向において下部磁気コア層が上部磁気コア層よりも先行する側に位置すると共に、下部磁気コア層側の突部及び上部磁気コア層側の突部において、トラック幅方向の少なくとも一側面がスキュー角の最大角度以上となる角度で傾けられた傾斜面とされている薄膜磁気ヘッドが提案されている（例えば、特許文献４を参照。）。
【０１３７】
このようなＨＤＤに代表される磁気ディスク装置では、基本的にはノンアジマス記録であるものの、磁気ディスクに対して、当該ディスクの径方向に操作される磁気ヘッドがある範囲の可変的なスキュー角を持つために、この磁気ディスク上を浮上する浮上ヘッドスライダに搭載された磁気ヘッドが、当該ヘッドの走査方向すなわちディスクの回転方向に対して、上述したアジマス記録の場合と同じように磁気ギャップがスキュー角に応じて傾くことになり、その結果、隣接する記録トラックにおけるデータの書き換えやデータの消去等といった問題が発生してしまう。特許文献４に記載される薄膜磁気ヘッドは、このようなアジマス記録に似た問題を解決するための手段として提案されたものである。
【０１３８】
しかしながら、この場合には、浮上ヘッドスライダとなる基板上に薄膜磁気ヘッドが形成されること、並びにこの浮上ヘッドスライダの浮上姿勢から、当該ヘッドの走査方向において先行するリーディング側に下部磁気コア層側の突部が位置し、トレーリング側に上部磁気コア層側の突部が位置することになる。
【０１３９】
したがって、特許文献４に記載される薄膜磁気ヘッドでは、図２７に示す薄膜磁気ヘッド９０のように、上述した薄膜磁気ヘッド８０を、リーディング側に下部磁気コア層２４側の突部２４ｂが位置し、トレーリング側に上部磁気コア層２５側の突部２５ａが位置するように、逆向きに配置した構成となる。そして、このような逆向きの配置とした場合には、当該ヘッドの走査方向において先行するリーディング側の下部磁気コア層２４側の突部２４ｂで発生した記録磁界によって記録される記録ビットを、トレーリング側の上部磁気コア層２５側の突部２５ａで発生した記録磁界が記録し直すことになる。
【０１４０】
この場合、隣接する記録トラックにおけるデータの書き換えやデータの消去等の磁気的な悪影響を小さくするといった効果がある程度期待できるものの、リーディング側に位置する下部磁気コア層２４側の突部２４ｂの磁気ギャップＧと隣接する側のトラック幅Ｔｗ１よりも、トレーリング側に位置する磁気コア層２５側の突部２５ａの磁気ギャップＧと隣接する側のトラック幅Ｔｗ２が小さくなることから、自らの記録トラックにおいて、位相差を含んだ記録ビットが記録されてしまい、この記録ビットの実効トラック幅が狭くなるといった問題が発生してしまう。
【０１４１】
ここで、上述した図２２に示す薄膜磁気ヘッド７０、図２６に示す薄膜磁気ヘッド８０、図２７に示す薄膜磁気ヘッド９０、並びに上述した図３８に示す薄膜磁気ヘッド１００について、各ヘッドによって記録媒体上に記録される記録ビットの形状（ダイビットパターン）をコンピュータシミュレーションにより算出した。また、記録媒体としては、上述した蒸着テープを用いることにした。そして、磁気テープを静止した状態で各ヘッドを走査した際に記録される３つの記録ビットについて、その真ん中に位置する記録ビットの磁化反転による境界線を抽出したものをコンピュータシミュレーションにより算出した。
【０１４２】
なお、このコンピュータシミュレーションでは、アジマス角を２０゜、上部磁気コア層のトラック幅を１．８μｍ、磁気ギャップ長を０．２５μｍ、３つの記録ビット長をそれぞれ１．０μｍ、媒体対向面から磁気テープまでの磁気的スペーシングを３０ｎｍとして計算を行った。
【０１４３】
図２８（Ａ）に示すように、上述した図３８に示す薄膜磁気ヘッド１００によって記録される１つの記録ビット２００には、リーディング側に位置する下部磁気コア層１０２側の突部１０２ｂで発生した記録磁界と、トレーリング側に位置する上部磁気コア層１０３側の突部１０３ａで発生した記録磁界とのトラック幅方向のずれによって生じる記録ビットのトラック幅方向の位相差によって、そのトラック幅方向の両端部から当該ヘッドの走査方向（リーディング側）に一対の裾引き部分２００ａ，２００ｂが形成されることになる。
【０１４４】
そして、図２８（Ｂ）に示すように、このような記録ビット２００が磁気テープの記録トラック上に複数記録されたときには、先に記録された記録ビット２００の一対の裾引き部分２００ａ，２００ｂが、次に記録された記録ビット２００のトラックエッジ部にまで及ぶサイドイレースが発生することで、この記録ビット２００の磁化遷移領域近傍の実効トラック幅を狭めてしまうことになる。具体的に、このシミュレーション結果では、記録ビット２００の全幅が２．１０μｍであるのに対して、実効トラック幅は部分的に狭くなり、磁化遷移領域近傍では、最悪の場合、１．９６μｍにまで狭くなっている。
【０１４５】
これに対して、図２９（Ａ）に示すように、上述した図２２に示す薄膜磁気ヘッド７０では、トレーリング側に位置する下部磁気コア層２４側の突部２４ｂにおける傾斜面７０ｂの延長線Ｓ２上に、リーディング側に位置する上部磁気コア層２５側の突部２５ａの磁気ギャップＧと隣接する側の一端７１ｂが位置していることから、磁気テープ３に形成される記録トラックにおいて、リーディング側に位置する上部磁気コア層２５側の突部２５ａで発生した記録磁界によって記録される記録ビットのトラック幅Ｔｗ２が、トレーリング側に位置する下部磁気コア層２４側の突部２４ｂで発生した記録磁界によって記録される記録ビットのトラック幅Ｔｗ１の内側に収まることになる。これにより、上述した図２８に示すシミュレーション結果で問題となった位相差の激しい従来の薄膜磁気ヘッド１００による記録ビット２００に対して、位相差を抑制した記録ビット１７０を記録することができる。
【０１４６】
したがって、この薄膜磁気ヘッド７０では、図２９（Ｂ）に示すように、磁気テープ３に対してアジマス記録を行った場合でも、サイドイレースの発生を抑制することができ、この薄膜磁気ヘッド７０によって形成される記録ビット１７０の実効トラック幅が狭くなるのを抑制することができる。具体的に、このシミュレーション結果では、記録ビット１７０の全幅が２．１０μｍであるのに対して、実効トラック幅は、最悪の場合でも、２．０３μｍに収まっている。
【０１４７】
なお、上述し記録ビット２００及び記録ビット１７０の全幅が２．１０μｍに広がっているのは、薄膜磁気ヘッド１００，７０からのサイドフリンジング磁界の影響が顕著であったためと考えられる。したがって、上述した図２２に示す薄膜磁気ヘッド７０では、サイドフリンジング磁界があまり顕著でない起磁力若しくは磁気的スペーシングの範囲において、位相差を抑制した記録ビット１７０を記録し、この記録ビット１７０の実効トラック幅が狭くなるのを抑制することができる。
【０１４８】
一方、図３０（Ａ）に示すように、上述した図２６に示す薄膜磁気ヘッド８０では、トレーリング側に位置する下部磁気コア層２４側の突部２４ｂにおける傾斜面７０ｂの延長線Ｓ２上に、リーディング側に位置する上部磁気コア層２５側の突部２５ａの傾斜面８０ｂが位置していることから、磁気テープ３に形成される記録トラックにおいて、リーディング側に位置する上部磁気コア層２５側の突部２５ａで発生した記録磁界によって記録される記録ビットのトラック幅Ｔｗ２が、トレーリング側に位置する下部磁気コア層２４側の突部２４ｂで発生した記録磁界によって記録される記録ビットのトラック幅Ｔｗ１の内側に収まることで、位相差を抑制した記録ビット１８０を記録することができる。さらに、この場合には、これら傾斜面７０ｂ，８０ｂが形成された側面と、傾斜面７０ａ，８０ａが形成された側面との両側から発生するサイドフリンジング磁界を少なくすることができるので、上述した薄膜磁気ヘッド１００，７０において発生していたサイドフリンジング磁界に起因するサイドイレースの発生も抑制することができる。
【０１４９】
したがって、この薄膜磁気ヘッド８０では、図３０（Ｂ）に示すように、磁気テープ３に対してアジマス記録を行った場合でも、アジマス記録のよる磁気コアのトラック幅方向へのずれが原因で生じるサイドイレースの発生と、サイドフリンジング磁界が原因で生じるサイドイレースの発生を共に抑制することができ、この薄膜磁気ヘッド８０によって形成される記録ビット１８０の実効トラック幅が狭くなるのを抑制することができる。具体的に、このシミュレーション結果では、記録ビット１８０の全幅が２．０３μｍであるのに対して、実効トラック幅が２．０３μｍとなり、上述した記録ビットの位相差によるトラック幅の減少が発生していないことがわかる。さらに、これら記録ビット１８０の全幅は、上述の記録ビット２００及び記録ビット１７０の全幅２．１０μｍに対して、２．０３μｍと狭くなっており、上述したサイドフリンジング磁界の影響が抑制されていることがわかる。
【０１５０】
これに対して、図３１（Ａ）に示すように、上述した図２７に示す薄膜磁気ヘッド９０によって記録される１つの記録ビット１９０には、リーディング側に位置する下部磁気コア層２４側の突部２４ｂで発生した記録磁界によって、一旦記録された記録ビットを、トレーリング側に位置する上部磁気コア層２５側の突部２５ａで発生した記録磁界が記録し直す際に、トラック幅方向に対して十分に上書きされないことが原因で生じる記録ビットの位相差によって、そのトラック幅方向の両端部から当該ヘッドの走査方向（リーディング側）に伸びる一対の裾引き部分１９０ａ，１９０ｂが形成されている。
【０１５１】
そして、図３１（Ｂ）に示すように、このような記録ビット１９０が磁気テープ３の記録トラック上に複数記録されたときには、上述した図３１（Ｂ）に示す記録ビット２００と同じように、先に記録された記録ビット１９０の一対の裾引き部分１９０ａ，１９０ｂが、次に記録された記録ビット１９０のトラックエッジ部にまで及ぶサイドイレースが発生することで、この記録ビット１９０の磁化遷移領域近傍の実効トラック幅を狭めてしまうことになる。具体的に、このシミュレーション結果では、記録ビット１９０の全幅が２．１７μｍであるのに対して、実効トラック幅は部分的に狭くなり、磁化遷移領域近傍では、最悪の場合、１．９６μｍにまで狭くなっており、今回計算を行った合計４種類のコア形状の薄膜記録ヘッドの中でも最も悪い結果となっている。
【０１５２】
なお、記録ビット１９０の全幅が他のヘッドと比べて大きくなったのは、リーディング側に位置する下部磁気コア層２４側の突部２４ｂの磁気ギャップＧと隣接する側のトラック幅Ｔｗ１が、トレーリング側に位置する上部磁気コア層２５側の突部２５ａの磁気ギャップＧと隣接する側のトラック幅Ｔｗ２よりも大きいことと、リーディング側に位置する下部磁気コア層２４側の突部２４ｂで発生した記録磁界が、トレーリング側に位置する上部磁気コア層２５側の突部２５ａで発生した記録磁界に比べて若干小さい記録磁界強度でも、蒸着テープの磁性層内の磁化を反転できることとが組み合わさったためと考えられる。
【０１５３】
ここで、図３２に示すように、蒸着テープ３００に対する記録方法を上述した薄膜磁気ヘッド１００を用いた場合を例に挙げて説明する。なお、図３２では、薄膜磁気ヘッド１００のギャップＧ’を介して上部磁気コア層１０３側の突部１０３ａと下部磁気コア層１０２側の突部１０２ｂとが対向する媒体対向面の近傍のみを図示している。
【０１５４】
蒸着テープ３００は、上述したように、非磁性支持体３０１上に金属磁性膜３０２を斜方に蒸着させてなるものであり、この蒸着テープ３００の記録再生に関する最大の特徴は、磁化容易軸がテープの長手方向を含む膜断面において、膜法線に対して斜めに傾斜した方向にあることである。なお、図３２中に示す矢印は、この蒸着テープ３００の金属磁性膜３０２内における磁化の方向を示している。
【０１５５】
一方、薄膜磁気ヘッド１００では、リーディング側に位置する下部磁気コア層１０２側の突部１０２ｂで発生した記録磁界Ｍ１が、蒸着テープ３００の磁化容易軸と同じ側に傾斜するのに対して、トレーリング側に位置する上部磁気コア層１０３側の突部１０３ａで発生した記録磁界Ｍ２が、蒸着テープ３００の磁化容易軸とは反対側、すなわち磁化困難軸と同じ側に傾斜することになる。
【０１５６】
ところで、このような図３２に示す構成とは逆に、薄膜磁気ヘッド１００に対して蒸着テープ３００の磁化容易軸を、トレーリング側に位置する上部磁気コア層１０３側の突部１０３ａで発生した記録磁界Ｍ２と同じ側に傾斜させる構成も考えられる。しかしながら、図３２に示す構成のように、薄膜磁気ヘッド１００に対して蒸着テープ３００磁化容易軸を、リーディング側に位置する下部磁気コア層１０２側の突部１０２ｂで発生した記録磁界Ｍ１と同じ側に傾斜させた方が、トレーリング側に位置する上部磁気コア層１０３側の突部１０３ａで発生した記録磁界Ｍ２の磁化容易軸方向成分の減少する割合が急峻となり、蒸着テープ３００に記録される記録ビット３０３の磁化遷移領域３０３ａがより狭くなる効果を生じることから、通常は図３２に示す構成が用いられる。
【０１５７】
したがって、図３２に示す構成の場合には、リーディング側に位置する下部磁気コア層１０２側の突部１０２ｂで発生した記録磁界Ｍ１が、蒸着テープ３００の磁化容易軸と同じ側に傾斜するため、トレーリング側に位置する上部磁気コア層１０３側の突部１０３ａで発生した記録磁界Ｍ２が、蒸着テープ３００の金属磁性膜３０２内の磁化を反転させるのに必要な最小記録磁界強度に比べて、若干小さい記録磁界強度でも、蒸着テープ３００の金属磁性膜３０２内の磁化を反転させることが可能となる。
【０１５８】
このことから、上述した図２７に示す薄膜磁気ヘッド９０によって記録される記録ビット１９０の全幅が他のヘッドと比べて大きくなったのは、リーディング側に位置する下部磁気コア層２４側の突部２４ｂで発生した記録磁界が、トレーリング側に位置する上部磁気コア層２５側の突部２５ａで発生した記録磁界に比べて若干小さい記録磁界強度でも、蒸着テープの磁性層内の磁化を反転できたためと考えられる。
【０１５９】
一方、上述した図２６に示す本発明を適用した薄膜磁気ヘッド８０では、上述した図２７に示す薄膜磁気ヘッド９０と同様に、下部磁気コア層２４側の突部２４ｂの磁気ギャップＧと隣接する側のトラック幅Ｔｗ１が、上部磁気コア層２５側の突部２５ａの磁気ギャップＧと隣接する側のトラック幅Ｔｗ２よりも大きく、薄膜磁気ヘッド９０の下部磁気コア層２４側の突部２４ｂの磁気ギャップＧと隣接する側のトラック幅Ｔｗ１と全く同じ大きさとなっている。しかしながら、この薄膜磁気ヘッド８０の下部磁気コア層２４の突部２４ｂがトレーリング側に位置することによって、図３０に示す記録ビット１８０の全幅が２．０３μｍの値に収まっている。
【０１６０】
したがって、上述した薄膜磁気ヘッド７０，８０のように、リーディング側に上部磁気コア層２５側の突部２５ａが位置し、トレーリング側に下部磁気コア層２４側の突部２４ｂが位置する構成によって、特に、蒸着テープに対してサイドイレースによる影響を大幅に抑制することが可能である。
【０１６１】
なお、上記薄膜磁気ヘッド７０，８０は、上述した構成に限定されるものではなく、媒体対向面２０ａにおいて、トレーリング側に位置する下部磁気コア層２４側の突部２４ｂのトラック幅方向の少なくとも一側面が、アジマス角θ以上となる角度で傾けられた傾斜面とされ、この傾斜面の延長線上に、リーディング側に位置する上部磁気コア層２５側の突部２５ａの磁気ギャップＧと隣接する側の一端が位置していればよい。
【０１６２】
また、上記薄膜磁気ヘッド７０，８０では、従来のような薄膜形成技術によって基板上に幅広となるトレーリング側の下部磁気コア層２４を形成した後に、幅狭となるリーディング側の上部磁気コア層２５を形成することから、製造が容易である等の利点を有している。また、上部磁気コア層２５側の突部２５ａにおいて、下部磁気コア層２４側の突部２４ｂの傾斜面の延長線上に位置する側面を、アジマス角θ以上となる角度で傾けられた傾斜面とした場合でも、これら傾斜面が同一直線上に位置することから、製造上このような形状を容易に形成することが可能である。
【０１６３】
以上のように、本発明を適用した磁気テープ装置１では、上述した磁気ヘッド装置１０が、一方の記録ヘッド１１ａによってアジマス記録により一方の記録トラックＡと、他方の記録ヘッド１１ｂによってノンアジマス記録により他方の記録トラックＢとを磁気テープ３の長手方向に交互に並んで形成することによって、高記録密度化に対応して記録トラックのトラック幅を狭くした場合でも、アジマス記録によって自己記録トラック内に記録される記録ビットの位相差に起因するサイドイレースの問題を解決し、隣接する記録トラックからのクロストークを抑制することが可能である。
【０１６４】
したがって、この磁気テープ装置１では、そのような磁気ヘッド装置１０を磁気テープ３に対して信号を記録する信号記録手段として用いることで、Ｓ／Ｎ比の低下を抑制しながら、磁気テープ３に対する記録密度を大幅に高めることを可能である。
【０１６５】
また、この磁気テープ装置１では、上述した一対の記録ヘッド１１ａ，１１ｂと、一対の再生ヘッド１２ａ，１２ｂ及び互換再生ヘッド１２ｃが回転ドラム１４に搭載されていることから、従来の磁気ヘッド装置との下位互換性を保つことが可能である。
【０１６６】
また、以上のような本発明を適用した信号記録方法は、上述したヘリカルスキャン方式によって磁気テープ３に対して信号を記録する場合の他にも、例えばリニア記録方式によって磁気テープの走行方向に対して記録ヘッドを平行に走査しながら、磁気テープに対して信号を記録する場合や、磁気ディスク等の磁気記録媒体に対して信号を記録する場合にも広く適用可能である。
【０１６７】
【発明の効果】
以上詳細に説明したように、本発明によれば、高記録密度化に対応して記録トラックのトラック幅を狭くした場合でも、アジマス記録によって自己記録トラック内に記録される記録ビットの位相差に起因するサイドイレースの問題を解決し、隣接する記録トラックからのクロストークを抑制することが可能なことから、Ｓ／Ｎ比の低下を抑制しながら、磁気記録媒体に対する記録密度を大幅に高めることが可能である。
【図面の簡単な説明】
【図１】本発明を適用した磁気テープ装置の概略を示す平面図である。
【図２】本発明を適用した磁気ヘッド装置の構成を示す斜視図である。
【図３】上記磁気ヘッド装置の構成を示す平面図である。
【図４】記録ヘッドの構成を示す斜視図である。
【図５】上記記録ヘッドの構成を示す要部斜視図である。
【図６】上記記録ヘッドの構成を示す平面図である。
【図７】図６中線分Ｘ−Ｘ’による断面図である。
【図８】上記記録ヘッドを媒体対向面から見た端面図である。
【図９】再生ヘッドの構成を示す斜視図である。
【図１０】上記再生ヘッドを媒体対向面から見た端面図である。
【図１１】上記磁気ヘッド装置によって磁気テープに記録トラックが形成された状態を示す模式図である。
【図１２】アジマス角θの傾ける向きがプラス（＋）側に設定された記録ヘッドを示す端面図である。
【図１３】アジマス角θの傾ける向きがマイナス（−）側に設定された記録ヘッドを示す端面図である。
【図１４】一方の記録ヘッド（アジマス角＋θ）により一方の記録トラックに記録される記録ビットを説明するための模式図である。
【図１５】他方の記録ヘッド（ノンアジマス）により他方の記録トラックに記録される記録ビットを説明するための模式図である。
【図１６】一方の記録トラック（アジマス角＋θ）に他方の記録トラック（ノンアジマス）が重ね書きされる状態を示す模式図である。
【図１７】一方の記録ヘッド（アジマス角−θ）により一方の記録トラックに記録される記録ビットを説明するための模式図である。
【図１８】一方の記録トラック（アジマス角−θ）に他方の記録トラック（ノンアジマス）が重ね書きされる状態を示す模式図である。
【図１９】上記一方の記録ヘッドとなる薄膜磁気ヘッドの他の構成を示す斜視図である。
【図２０】上記薄膜磁気ヘッドの構成を示す要部斜視図である。
【図２１】上記薄膜磁気ヘッドを媒体対向面から見た端面図である。
【図２２】上記薄膜磁気ヘッドのアジマス記録による走査状態を示す模式図である。
【図２３】上記一方の記録ヘッドとなる薄膜磁気ヘッドのさらに他の構成を示す斜視図である。
【図２４】上記薄膜磁気ヘッドの構成を示す要部斜視図である。
【図２５】上記薄膜磁気ヘッドを媒体対向面から見た端面図である。
【図２６】上記薄膜磁気ヘッドのアジマス記録による走査状態を示す模式図である。
【図２７】上記薄膜磁気ヘッドの配置を逆向きとした場合のアジマス記録による走査状態を示す模式図である。
【図２８】図３８中に示す従来の薄膜磁気ヘッドにより記録される記録ビットのシミュレーション結果を示す模式図である。
【図２９】図２２中に示す本発明を適用した薄膜磁気ヘッドにより記録される記録ビットのシミュレーション結果を示す模式図である。
【図３０】図２６中に示す本発明を適用した別の薄膜磁気ヘッドにより記録される記録ビットのシミュレーション結果を示す模式図である。
【図３１】図２７中に示す薄膜磁気ヘッドにより記録される記録ビットのシミュレーション結果を示す模式図である。
【図３２】蒸着テープに対する記録方法を説明するための模式図である。
【図３３】従来の薄膜ヘッドの一構成例を示す平面図である。
【図３４】図３３中線分Ｙ−Ｙ’による断面図である。
【図３５】上記従来の薄膜磁気ヘッドを媒体対向面から見た端面図である。
【図３６】上記従来の薄膜磁気ヘッドの別の構成を媒体対向面から見た端面図である。
【図３７】従来の磁気テープ装置によって磁気テープに記録トラックが形成された状態を示す模式図である。
【図３８】上記従来の薄膜磁気ヘッドのアジマス記録による走査状態を示す模式図である。
【符号の説明】
１  磁気テープ装置、２  テープカセット、３  磁気テープ、４  供給リール、５  巻取リール、６  装置本体、７ａ〜７ｆ  ガイドローラ、８  ピンチローラ、９  キャップスタン、９ａ  キャップスタンモータ、１０  磁気ヘッド装置、１１ａ  一方の記録ヘッド、１１ｂ  他方の記録ヘッド、１２ａ  一方の再生ヘッド、１２ｂ  他方の再生ヘッド、１２ｃ  互換再生ヘッド、１３  ヘッドドラム、１４  回転ドラム、１５  固定ドラム、１６  駆動モータ、２０  薄膜磁気ヘッド、２０ａ  媒体対向面、２１  第１のヘッド部材、２２  保護層、２３第２のヘッド部材、２４  下部磁気コア層、２４ａ，２４ｂ  突部、２５  上部磁気コア層、２５ａ  突部、２６  非磁性層、２７  薄膜コイル、２８ａ，２８ｂ  引き出し導線、２９ａ，２９ｂ  外部接続用端子、３０  記録ビット、３０ａ  裾引き部分、４０  ＭＲヘッド、４０ａ  媒体対向面、４１  第１のヘッド部材、４２  保護層、４３  第２のヘッド部材、４４  下部磁気シールド層、４５  上部磁気シールド層、４６  ギャップ層、４７  ＭＲ素子、４８ａ，４８ｂ  永久磁石膜、４９ａ，４９ｂ  低抵抗化膜、５０ａ，５０ｂ  導体部、５１ａ，５１ｂ  外部接続用端子、６０  記録ビット、６０ａ，６０ｂ  一対の裾引き部分、７０  薄膜磁気ヘッド、７０ａ，７０ｂ  傾斜面、７１ａ，７１ｂ  端部、８０  薄膜磁気ヘッド、８０ａ，８０ｂ  傾斜面
【図１】
2004164756.tif 000004
【図２】
2004164756.tif 000005
【図３】
2004164756.tif 000006
【図４】
2004164756.tif 000007
【図５】
2004164756.tif 000008
【図６】
2004164756.tif 000009
【図７】
2004164756.tif 000010
【図８】
2004164756.tif 000011
【図９】
2004164756.tif 000012
【図１０】
2004164756.tif 000013
【図１１】
2004164756.tif 000014
【図１２】
2004164756.tif 000015
【図１３】
2004164756.tif 000016
【図１４】
2004164756.tif 000017
【図１５】
2004164756.tif 000018
【図１６】
2004164756.tif 000019
【図１７】
2004164756.tif 000020
【図１８】
2004164756.tif 000021
【図１９】
2004164756.tif 000022
【図２０】
2004164756.tif 000023
【図２１】
2004164756.tif 000024
【図２２】
2004164756.tif 000025
【図２３】
2004164756.tif 000026
【図２４】
2004164756.tif 000027
【図２５】
2004164756.tif 000028
【図２６】
2004164756.tif 000029
【図２７】
2004164756.tif 000030
【図２８】
2004164756.tif 000031
【図２９】
2004164756.tif 000032
【図３０】
2004164756.tif 000033
【図３１】
2004164756.tif 000034
【図３２】
2004164756.tif 000035
【図３３】
2004164756.tif 000036
【図３４】
2004164756.tif 000037
【図３５】
2004164756.tif 000038
【図３６】
2004164756.tif 000039
【図３７】
2004164756.tif 000040
【図３８】
2004164756.tif 000041